(57)【要約】【課題】  ビス止め点数を減らせ、作業工程を減らせ、コスト削減を図ることができる。【解決手段】  トップケース１の上壁１ａの後側端部の複数の下向き小突部１ｂをリアパネル３の上側折曲片３ａの複数の係入孔３ｂに係入しトップケースの周縁状後壁片１ｃの上縁片１ｄの中央の孔１ｅから対応するリアパネルの上縁側の孔３ｃにビス５を螺入しトップケースの周縁状後側片１ｃの両側縁片１ｆ、１ｇの下端近傍箇所の一つずつの孔１ｈ、１ｉからシャーシの後壁２ａの対応する孔２ｂ、２ｃにビスを螺入しトップケースの両側壁１ｊ、１ｋの下端側の前後方向略中央箇所の孔１ｍ、１ｎからシャーシの両側壁２ｄ、２ｅの対応する孔２ｆ、２ｇにビスを螺入しトップケースに設けた５箇所の孔１ｇ、１ｈ、１ｉ、１ｍ、１ｎに５本のビス５を螺入してトップケースにシャーシとリアパネルを取付固定しトップケースの前側にフロントパネル４を取り付けて筐体を構成する。  【選択図】  図１
2005064084.tif 000002
【特許請求の範囲】
【請求項１】
トップケースの下側にシャーシを配設し、後側にリアパネルを配設して、前側にフロントパネルを配設し、これらをビス止め固定によって取付固定して構成する筐体構造において、前記トップケースには、その上壁の後側端部に、横方向に複数の下向き小突部が形成され、その周縁状後壁片の上縁片中央箇所に一つの孔が形成されるとともに両側縁片の下端近傍箇所にそれぞれ一つずつの孔が形成され、その両側壁の下端側の前後方向略中央箇所にそれぞれ一つずつの孔が形成されていて、前記リアパネルの上端が内側に直角に折曲されて、この折曲片に前記トップケースの上壁の後側端部の複数の下向き小突部が係入する係入孔が形成されており、前記トップケースの後側に前記リアパネルを配設する際に、前記トップケースの上壁の後側端部の複数の下向き小突部がリアパネルの上側折曲片の複数の係入孔に係入され、前記トップケースの周縁状後壁片の上縁片中央箇所の孔から、この孔に対応する箇所にある前記リアパネルの上縁側の孔にビスが螺入され、前記トップケースの周縁状後側片の両側縁片の下端近傍箇所のそれぞれ一つずつの孔から前記シャーシの後壁の対応する箇所にある孔にビスが螺入され、前記トップケースの両側壁の下端側の前後方向略中央箇所のそれぞれの孔から前記シャーシの両側壁の対応する箇所にあるそれぞれの孔にビスが螺入されて、前記トップケースに設けられた計５箇所の孔に計５本のビスを螺入することによって、前記トップケースに前記シャーシと前記リアパネルを取付固定し、このトップケースの前側にフロントパネルが取り付けられることによって筐体を構成するようにしたことを特徴とする筐体構造。
【請求項２】
トップケースの下側にシャーシを配設し、後側にリアパネルを配設して、前側にフロントパネルを配設し、これらをビス止めによって取付固定して構成する筐体構造において、前記トップケースには、その上壁に下向き突部が形成され、その周縁状後壁片の上縁片に一つの孔が形成されるとともに両側縁片の下端にそれぞれ一つずつの孔が形成され、その両側壁の下端側にそれぞれ一つずつの孔が形成されていて、前記リアパネルの上端が内側に直角に折曲されて、この折曲片に前記トップケースの上壁の下向き小突部が係入する係入孔が形成されており、前記トップケースの後側に前記リアパネルを配設する際に、前記トップケースの上壁の下向き小突部がリアパネルの上側折曲片の係入孔に係入され、前記トップケースの周縁状後壁片の上縁片の孔から、この孔に対応する箇所にある前記リアパネルの上縁側の孔にビスが螺入され、前記トップケースの周縁状後側片の両側縁片の下端のそれぞれ一つずつの孔から前記シャーシの後壁の対応する箇所にある孔にビスが螺入され、前記トップケースの両側壁の下端側のそれぞれの孔から前記シャーシの両側壁の対応する箇所にあるそれぞれの孔にビスが螺入されて、前記トップケースに設けられた計５箇所の孔に計５本のビスを螺入することによって、前記トップケースに前記シャーシと前記リアパネルを取付固定し、このトップケースの前側にフロントパネルが取り付けられることによって筐体を構成するようにしたことを特徴とする筐体構造。
【発明の詳細な説明】
【技術分野】
【０００１】
本発明は、トップケースの下側にシャーシを配設し、後側にリアパネルを配設して、前側にフロントパネルを配設し、これらはビス止め固定によって取付固定して構成する筐体構造に関するものである。
【背景技術】
【０００２】
従来、この種の筐体構造は、例えば、図４、図５（ａ）（ｂ）、図６に示すように、トップケース１０１には、周縁状後壁片１０２の上縁片の中央箇所と左右両側位置に計三つの孔１０２ａ、１０２ｂ、１０２ｃが形成され、その両側壁１０３、１０４の下端側の前後方向適宜箇所にそれぞれ二つずつの孔１０３ａ、１０３ｂ、１０４ａ、１０４ｂが形成されていて、前記トップケース１０１の上壁の後側端部の内側にリアパネル１０５が配設されて、トップケース１０１の周縁状後壁片１０２の上縁片の中央箇所と左右位置の孔１０２ａ、１０２ｂ、１０２ｃから、これら孔１０２ａ、１０２ｂ、１０２ｃに対応する箇所にあるリアパネル１０５の上縁側の孔１０５ａ、１０５ｂ、１０５ｃに３本のビス１０６が螺入され、トップケース１０１の両側壁１０３の下端側の前後方向適宜箇所の二つの孔１０３ａ、１０３ｂからシャーシ１０７の両側壁の対応する箇所にあるそれぞれの孔（図示略）にビス１０６が螺入されて、トップケース１０１に設けられた計７箇所の孔１０２ａ、１０２ｂ、１０２ｃ、１０３ａ、１０３ｂ、１０４ａ、１０４ｂに計７本のビス１０６を螺入することによって、トップケース１０１にシャーシ１０７とリアパネル１０５を取付固定し、このトップケース１０１の前側にフロントパネル１０８が取り付けられることによって筐体を構成するようにしていた。
ところが、これにおいては、ビス１０６を７本も必要とするために、部品点数が多くなり、コスト高になるとともに、ビス１０６を７箇所も螺入する必要があって、その作業が面倒であるという問題があった。
【０００３】
第１の従来技術を図７、図８（ａ）（ｂ）（ｃ）に示す。外装板２０３の内側面に係合爪２１１を設ける。フレーム２０２に垂直方向のスリット２１２を設ける。スリット２１２に係合爪２１１を挿入し、係合爪２１１をスリット２１２の下端に当接させ、外装板２０３とフレーム２０２の位置決めをしたのち、これら外装板２０３とフレーム２０２を固定する。（例えば、特許文献１参照）。
ところが、これにおいては、ビスを用いるものではなかった。
【０００４】
第２の従来技術を図９、図１０（ａ）（ｂ）（ｃ）に示す。前面にエスカツション３０２が設けられた箱状のロワーケース３０１の上面にアツパーケース３０３を装着するためのアツパーケースの装着構造において、ロワーケース３０１の上部前端辺には、エスカツション３０２の上縁部が水平に配置され、アツパーケース３０３の前端辺には、係止片３０８が下方へ突出するように設けられ、係止片３０８には、アツパーケース３０３の装着時にエスカツション３０２の上縁部に係合する係止突部３０８ａが前方へ向かって突出するように設けられ、この係止突部３０８ａとエスカツション３０２の上縁部とが弾性的に係合することにより、アツパーケース３０３の上方への反りを規制する。（例えば、特許文献２参照）。
ところが、これにおいても、ビスを用いるものではなかった。
【０００５】
第３の従来技術を図１１、図１２（ａ）（ｂ）に示す。フロントパネル４１２をその長手方向上両端側の係合子４１５〜４１８の間隔を拡げるように反らせて磁気デイスク装置４１０のシャーシ４１１に係合させて取付けてなる磁気デイスク装置のフロントパネル取付構造において、フロントパネル４１２を、その長手方向上中央の裏面に凸部４２０、４５０を有する形状とし、凸部４２０、４５０が、シャーシ４１１を覆って取付けられたカバー４１３の前縁部によりフロントパネル４１２の表面側に押圧されてなる。（例えば、特許文献３参照）。
ところが、これにおいても、ビスを用いるものではなかった。
【０００６】
【特許文献１】特開平６−１２０６７６号公報
【特許文献２】実開平４−８６２８３号公報
【特許文献３】実開平２−１１５８８号公報
【発明の開示】
【発明が解決しようとする課題】
【０００７】
本発明は上記従来の問題を解消し、ビス止め点数を減らすことができ、これにより、作業工程を減らすことができ、コスト削減を図ることができる筐体構造を提供することを目的としている。
【課題を解決するための手段】
【０００８】
本発明は、上記課題を解決するために提案されたものであって、請求項１に記載の発明は、トップケースの下側にシャーシを配設し、後側にリアパネルを配設して、前側にフロントパネルを配設し、これらをビス止め固定によって取付固定して構成する筐体構造において、前記トップケースには、その上壁の後側端部に、横方向に複数の下向き小突部が形成され、その周縁状後壁片の上縁片中央箇所に一つの孔が形成されるとともに両側縁片の下端近傍箇所にそれぞれ一つずつの孔が形成され、その両側壁の下端側の前後方向略中央箇所にそれぞれ一つずつの孔が形成されていて、前記リアパネルの上端が内側に直角に折曲されて、この折曲片に前記トップケースの上壁の後側端部の複数の下向き小突部が係入する係入孔が形成されており、前記トップケースの後側に前記リアパネルを配設する際に、前記トップケースの上壁の後側端部の複数の下向き小突部がリアパネルの上側折曲片の複数の係入孔に係入され、前記トップケースの周縁状後壁片の上縁片中央箇所の孔から、この孔に対応する箇所にある前記リアパネルの上縁側の孔にビスが螺入され、前記トップケースの周縁状後側片の両側縁片の下端近傍箇所のそれぞれ一つずつの孔から前記シャーシの後壁の対応する箇所にある孔にビスが螺入され、前記トップケースの両側壁の下端側の前後方向略中央箇所のそれぞれの孔から前記シャーシの両側壁の対応する箇所にあるそれぞれの孔にビスが螺入されて、前記トップケースに設けられた計５箇所の孔に計５本のビスを螺入することによって、前記トップケースに前記シャーシと前記リアパネルを取付固定し、このトップケースの前側にフロントパネルが取り付けられることによって筐体を構成するようにしたことを特徴としている。
【０００９】
請求項２に記載の発明は、トップケースの下側にシャーシを配設し、後側にリアパネルを配設して、前側にフロントパネルを配設し、これらをビス止めによって取付固定して構成する筐体構造において、前記トップケースには、その上壁に下向き突部が形成され、その周縁状後壁片の上縁片に一つの孔が形成されるとともに両側縁片の下端にそれぞれ一つずつの孔が形成され、その両側壁の下端側にそれぞれ一つずつの孔が形成されていて、前記リアパネルの上端が内側に直角に折曲されて、この折曲片に前記トップケースの上壁の下向き小突部が係入する係入孔が形成されており、前記トップケースの後側に前記リアパネルを配設する際に、前記トップケースの上壁の下向き小突部がリアパネルの上側折曲片の係入孔に係入され、前記トップケースの周縁状後壁片の上縁片の孔から、この孔に対応する箇所にある前記リアパネルの上縁側の孔にビスが螺入され、前記トップケースの周縁状後側片の両側縁片の下端のそれぞれ一つずつの孔から前記シャーシの後壁の対応する箇所にある孔にビスが螺入され、前記トップケースの両側壁の下端側のそれぞれの孔から前記シャーシの両側壁の対応する箇所にあるそれぞれの孔にビスが螺入されて、前記トップケースに設けられた計５箇所の孔に計５本のビスを螺入することによって、前記トップケースに前記シャーシと前記リアパネルを取付固定し、このトップケースの前側にフロントパネルが取り付けられることによって筐体を構成するようにしたことを特徴としている。
【発明の効果】
【００１０】
以上説明したように、請求項１に記載の発明は、トップケースの下側にシャーシを配設し、後側にリアパネルを配設して、前側にフロントパネルを配設し、これらをビス止め固定によって取付固定して構成する筐体構造において、前記トップケースには、その上壁の後側端部に、横方向に複数の下向き小突部が形成され、その周縁状後壁片の上縁片中央箇所に一つの孔が形成されるとともに両側縁片の下端近傍箇所にそれぞれ一つずつの孔が形成され、その両側壁の下端側の前後方向略中央箇所にそれぞれ一つずつの孔が形成されていて、前記リアパネルの上端が内側に直角に折曲されて、この折曲片に前記トップケースの上壁の後側端部の複数の下向き小突部が係入する係入孔が形成されており、前記トップケースの後側に前記リアパネルを配設する際に、前記トップケースの上壁の後側端部の複数の下向き小突部がリアパネルの上側折曲片の複数の係入孔に係入され、前記トップケースの周縁状後壁片の上縁片中央箇所の孔から、この孔に対応する箇所にある前記リアパネルの上縁側の孔にビスが螺入され、前記トップケースの周縁状後側片の両側縁片の下端近傍箇所のそれぞれ一つずつの孔から前記シャーシの後壁の対応する箇所にある孔にビスが螺入され、前記トップケースの両側壁の下端側の前後方向略中央箇所のそれぞれの孔から前記シャーシの両側壁の対応する箇所にあるそれぞれの孔にビスが螺入されて、前記トップケースに設けられた計５箇所の孔に計５本のビスを螺入することによって、前記トップケースに前記シャーシと前記リアパネルを取付固定し、このトップケースの前側にフロントパネルが取り付けられることによって筐体を構成するようにしたので、以下に述べる効果を奏する。
即ち、従来ビス止め箇所が７箇所であったのを、５箇所に減らすことができて、ビス止め点数を減らすことができ、これにより、作業工程を減らすことができ、コスト削減を図ることができる。
【００１１】
請求項２に記載の発明は、トップケースの下側にシャーシを配設し、後側にリアパネルを配設して、前側にフロントパネルを配設し、これらをビス止めによって取付固定して構成する筐体構造において、前記トップケースには、その上壁に下向き突部が形成され、その周縁状後壁片の上縁片に一つの孔が形成されるとともに両側縁片の下端にそれぞれ一つずつの孔が形成され、その両側壁の下端側にそれぞれ一つずつの孔が形成されていて、前記リアパネルの上端が内側に直角に折曲されて、この折曲片に前記トップケースの上壁の下向き小突部が係入する係入孔が形成されており、前記トップケースの後側に前記リアパネルを配設する際に、前記トップケースの上壁の下向き小突部がリアパネルの上側折曲片の係入孔に係入され、前記トップケースの周縁状後壁片の上縁片の孔から、この孔に対応する箇所にある前記リアパネルの上縁側の孔にビスが螺入され、前記トップケースの周縁状後側片の両側縁片の下端のそれぞれ一つずつの孔から前記シャーシの後壁の対応する箇所にある孔にビスが螺入され、前記トップケースの両側壁の下端側のそれぞれの孔から前記シャーシの両側壁の対応する箇所にあるそれぞれの孔にビスが螺入されて、前記トップケースに設けられた計５箇所の孔に計５本のビスを螺入することによって、前記トップケースに前記シャーシと前記リアパネルを取付固定し、このトップケースの前側にフロントパネルが取り付けられることによって筐体を構成するようにしたので、以下に述べる効果を奏する。
即ち、ビス止め点数を減らすことができ、これにより、作業工程を減らすことができ、コスト削減を図ることができる筐体構造を提供することを目的としている。
【発明を実施するための最良の形態】
【００１２】
以下、本発明に係る筐体構造の実施の形態について、図を参照しつつ説明する。
図１は本発明の実施形態の筐体構造を示す斜視図、図２は同構造のトップケースを示し、（ａ）はその側面図、（ｂ）はその平面図、（ｃ）はその背面図、図３は同構造のリアパネルを示し、（ａ）はその側面図、（ｂ）はその背面図である。
【００１３】
本実施形態の筐体構造は、図１に示すように、トップケース１の下側にシャーシ２を配設し、後側にリアパネル３を配設して、前側にフロントパネル４を配設し、これらをビス止め固定によって取付固定して構成するようにしたものである。そして、図２（ｂ）にも示すように、トップケース１には、その上壁１ａの後側端部に、横方向に複数の下向き小突部１ｂが形成され、その周縁状後壁片１ｃの上縁片１ｄの中央箇所に一つの孔１ｅが形成されるとともに両側縁片１ｆ、１ｇの下端の近傍箇所にそれぞれ一つずつの孔１ｈ、１ｉが形成され、その両側壁１ｊ、１ｋの下端側の前後方向略中央箇所にそれぞれ一つずつの孔１ｍ、１ｎが形成されている。
また、図３（ａ）に示すように、リアパネル３の上端が内側に直角に折曲されて、この折曲片３ａにトップケース１の上壁１ａの後側端部の複数の下向き小突部１ｂが係入する係入孔３ｂが形成されている。
【００１４】
そして、トップケース１の後側にリアパネル３を配設する際に、トップケース１の上壁１ａの後側端部の複数の下向き小突部１ｂがリアパネル３の上側折曲片３ａの複数の係入孔３ｂに係入され、トップケース１の周縁状後壁片１ｃの上縁片１ｄの中央箇所の孔１ｅから、この孔１ｅに対応する箇所にあるリアパネル３の上縁側の孔３ｃにビス５が螺入れされ、トップケース１の周縁状後側片１ｃの両側縁片１ｆ、１ｇの下端近傍箇所のそれぞれ一つずつの孔１ｈ、１ｉからシャーシ２の後壁２ａの対応する箇所にある孔２ｂ、２ｃにビス５がそれぞれ螺入され、トップケース１の両側壁１ｊ、１ｋの下端側の前後方向略中央箇所のそれぞれの孔１ｍ、１ｎからシャーシ２の両側壁２ｄ、２ｅの対応する箇所にあるそれぞれの孔２ｆ、２ｇにビス５が螺入される。
【００１５】
このことにより、トップケース１に設けられた計５箇所の孔１ｇ、１ｈ、１ｉ、１ｍ、１ｎに計５本のビス５を螺入することによって、トップケース１にシャーシ２とリアパネル３を取付固定し、このトップケース１の前側にフロントパネル４が取り付けられるようになっている。
【００１６】
したがって、本実施形態によれば、トップケース１とシャーシ２とリアパネル３を５本だけのビス５で強固に取付固定することができて、従来ビス止め箇所が７箇所であったのを、５箇所に減らすことができて、ビス止め点数を減らすことができ、これにより、作業工程を減らすことができ、コスト削減を図ることができる。
【図面の簡単な説明】
【００１７】
【図１】本発明の実施形態の筐体構造を示す斜視図である。
【図２】同構造のトップケースを示し、（ａ）はその側面図、（ｂ）はその平面図、（ｃ）はその背面図である。
【図３】同構造のリアパネルを示し、（ａ）はその側面図、（ｂ）はその背面図である。
【図４】従来の筐体構造を示す斜視図である。
【図５】同構造のトップケースを示し、（ａ）はその側面図、（ｂ）はその平面図、（ｃ）はその背面図である。
【図６】同構造のリアパネルを示し、（ａ）はその側面図、（ｂ）はその背面図である。
【図７】従来の電子機器筐体を示す分解斜視図である。
【図８】（ａ）（ｂ）（ｃ）は同筐体の組立工程図である。
【図９】従来のアッパーケースの装着構造を示す分解斜視図である。
【図１０】（ａ）（ｂ）（ｃ）は同構造の組立工程を示す部分断面図である。
【図１１】従来の磁気ディスク装置のフロントパネル取付構造を示す分解斜視図である。
【図１２】（ａ）（ｂ）は同構造の組み付け工程を示す斜視図である。
【符号の説明】
【００１８】
１              トップケース
１ａ            上壁
１ｂ            下向き小突部
１ｃ            周縁状後壁片
１ｄ            上縁片
１ｅ            孔
１ｆ、１ｇ      側縁片
１ｈ、１ｉ      孔
１ｊ、１ｋ      側壁
１ｍ、１ｎ      孔
２              シャーシ
２ａ            後壁
２ｂ、２ｃ      孔
２ｆ、２ｇ      孔
３              リアパネル
３ａ            折曲片
３ｂ            係入孔
３ｃ            孔
４              フロントパネル
５              ビス
【図１】
2005064084.tif 000003
【図２】
2005064084.tif 000004
【図３】
2005064084.tif 000005
【図４】
2005064084.tif 000006
【図５】
2005064084.tif 000007
【図６】
2005064084.tif 000008
【図７】
2005064084.tif 000009
【図８】
2005064084.tif 000010
【図９】
2005064084.tif 000011
【図１０】
2005064084.tif 000012
【図１１】
2005064084.tif 000013
【図１２】
2005064084.tif 000014